(57)【要約】【課題】カード型記録装置がスロット装置に挿入された際に放熱効率を良好とする。【解決手段】カード型記録装置１は、当該カード型記録装置が挿入されるスロット装置３０５にカード型記録装置を挿入する際の挿入方向において、スロット装置と当接するカード型記録装置の端部と、挿入方向と平行なカード型記録装置の厚み方向の一面の少なくとも一部と上記の端部の少なくとも一部とを連絡する熱伝導性を有する外装カバーと、を有する。【選択図】図１
2017191488.tif 000002
【特許請求の範囲】
【請求項１】
カード型記録装置が挿入されるスロット装置に前記カード型記録装置を挿入する際の挿入方向において、前記スロット装置と当接する前記カード型記録装置の端部と、
前記挿入方向と平行な前記カード型記録装置の厚み方向の一面の少なくとも一部と前記端部の少なくとも一部とを連絡する熱伝導性を有する外装カバーと、
を有することを特徴とするカード型記録装置。
【請求項２】
前記端部は、前記カード型記録装置の前記挿入方向における端面に位置することを特徴とする請求項１に記載のカード型記録装置。
【請求項３】
前記外装カバーは、前記端部がカード電気接点を挟んだ状態で、前記カード型記録装置の前記厚み方向の一面の少なくとも一部と前記端部とを連絡することを特徴とする請求項１又は２に記載のカード型記録装置。
【請求項４】
熱源である電気素子が実装されたカード基板と、
前記カード型記録装置の前記厚み方向の一面側に形成され、前記外装カバーに前記電気素子からの熱を伝導する熱伝導部と、
を有することを特徴とする請求項１乃至３のいずれか１項に記載のカード型記録装置。
【請求項５】
前記外装カバーは、前記カード型記録装置の前記厚み方向において、前記挿入方向の端部に向って段階的に肉厚が増加することを特徴とする請求項１乃至４のいずれか１項に記載のカード型記録装置。
【請求項６】
請求項１乃至５のいずれか１項に記載のカード型記録装置が挿抜されるスロット装置であって、
前記カード型記録装置が挿入された際に、前記外装カバーの前記端部と当接する熱伝導性を備える当接部を有することを特徴とするスロット装置。
【請求項７】
前記スロット装置の当接部はスロット電気接点を挟んで、前記外装カバーの当接部と面接触することを特徴とする請求項６に記載のスロット装置。
【請求項８】
前記スロット装置の当接部は弾性的に変位可能であり、前記外装カバーの前記端部と当接することで前記カード型記録装置の前記挿入方向と平行な方向への移動を規制することを特徴とする請求項６又は７に記載のスロット装置。
【請求項９】
前記スロット装置の前記当接部が前記カード型記録装置の前記端部と当接し、前記スロット装置の当接部が変位した変位位置において前記カード型記録装置の抜去方向への当該カード型記録装置の移動を規制する規制部を有することを特徴とする請求項８に記載のスロット装置。
【請求項１０】
前記スロット電気接点の少なくとも一部は弾性を有しており、
前記カード型記録装置のカード電気接点との接触によって前記スロット電気接点の弾性的な変位で生じる接触反力と、前記外装カバーの前記端部が前記スロット装置の当接部に当接したことによって当該当接部の変位で生じる前記カード型記録装置を抜去方向に付勢する付勢力とはその方向が交差する方向であることを特徴とする請求項７乃至９のいずれか１項に記載のスロット装置。
【発明の詳細な説明】
【技術分野】
【０００１】
本発明は、カード型記録装置およびスロット装置に関し、特に、メモリカードなどのカード型記録装置に関する。
【背景技術】
【０００２】
一般に、電子機器の１つであるデジタルカメラなどでは、撮影画像などの電子データを記録するため、メモリカードなどのカード型記録装置（以下カード媒体という）が用いられている。このカード媒体には、フラッシュメモリＩＣと当該フラッシュメモリＩＣに対する書き込みおよび読み出しを制御するカードコントローラＩＣが備えられている。
【０００３】
近年、画像の高精細化およびハイフレームレート化に伴って、カード媒体に電子データを高速で書き込む必要性が高まっている。これによって、カード媒体の消費電力が増加するので、当該消費電力の増加に伴うカード媒体の発熱に対処する必要がある。
【０００４】
カード媒体における記録動作を正常に保つためには、フラッシュメモリＩＣおよびカードコントローラＩＣが熱暴走しない程度の温度以下に発熱を抑える必要がある。さらに、カード媒体は、ユーザの手動操作によって挿抜が行われるため、ユーザがカード媒体を電子機器から抜去する際に不快に感じるほど高温になることを防止する必要がある。このため、カード媒体から放熱するための種々の構造が提案されている。
【０００５】
例えば、カード媒体を収容する挿入口を開閉するカバーユニットに第１の熱伝達部材を配置して、挿入口が閉じられている際には、第１の熱伝達部材がカード媒体の挿入口側端に接触するようにした電子機器がある（特許文献１）。
【先行技術文献】
【特許文献】
【０００６】
【特許文献１】特開２０１２−０２３１３１号公報
【発明の概要】
【発明が解決しようとする課題】
【０００７】
上述のように、特許文献１においては、カード媒体の熱をカバーユニットに備えられた第１の熱伝達部材を介して放熱するようにしている。ところが、当該カバーユニットを開閉可能に支持する関係上、カバーユニットとその周囲の部材との間にクリアランスが必要となる。このため、カバーユニットに伝導された熱を拡散する伝熱経路が少なく、カード媒体から発生する熱を効率よく拡散して逃がすことは困難である。そして、カバーユニットの温度も上昇する。
【０００８】
なお、特許文献１においては、第１の熱伝達部材から熱を拡散して逃がすため、第２の熱伝達部材を備えているが、第１および第２の熱伝達部材を用いると、放熱経路が長くなってしまうため、放熱効率が低下する。
【０００９】
従って、本発明の目的は、放熱効率が良好なカード型記録装置およびスロット装置を提供することにある。
【課題を解決するための手段】
【００１０】
上記の目的を達成するため、本発明によるカード型記録装置は、カード型記録装置が挿入されるスロット装置に前記カード型記録装置を挿入する際の挿入方向において、前記スロット装置と当接する前記カード型記録装置の端部と、前記挿入方向と平行な前記カード型記録装置の厚み方向の一面の少なくとも一部と前記端部の少なくとも一部とを連絡する熱伝導性を有する外装カバーと、を有することを特徴とする。
【００１１】
また、本発明によるスロット装置は、上記のカード型記録装置が挿抜されるスロット装置であって、前記カード型記録装置が挿入された際に、前記外装カバーの前記端部と当接する熱伝導性を備える当接部を有することを特徴とする。
【発明の効果】
【００１２】
本発明によれば、カード型記録装置の電気接点側の端部においてスロット装置の当接部に熱を伝導して放熱することができる結果、効率的な放熱経路を構成することができる。
【図面の簡単な説明】
【００１３】
【図１】本発明の実施の形態によるカード型記録装置の一例についてその外観を示す斜視図である。
【図２】図１に示すカード媒体が挿入される電子機器の１つであるデジタルカメラ（ビデオカメラ）の一例を示す斜視図である。
【図３】図２に示すデジタルカメラの構成についてその一例を示すブロック図である。
【図４】図１に示すカード媒体の構成についてその一例を示すブロック図である。
【図５】図１に示すカード媒体を分解して示す斜視図である。
【図６】図１に示すカード媒体の内部を説明するための図である。
【図７】図１に示すカード媒体の第１面カード外装を説明するための斜視図である。
【図８】図１に示すカード媒体の構造を説明するための図である。
【図９】図２に示すカメラにカード媒体を挿入する状態をカメラの下側からみた斜視図である。
【図１０】図９に示すカメラに備えられたスロットを説明するための図である。
【図１１】図１０に示すスロットカバーに取り付けられたイジェクト機構の動作を説明するための図である。
【図１２】図１１（ｄ）に示す受熱部の近傍を拡大して示す図である。
【図１３】図１に示すカード媒体の挿入過程および挿入状態を説明するための図である。
【図１４】図１に示すカード媒体の挿入状態におけるカード媒体とスロット蓋との関係を示す断面図である。
【図１５】本発明の実施の形態によるカード媒体の他の例についてその外観を示す斜視図である。
【図１６】図１５に示すカード媒体の挿入状態を説明するための図である。
【図１７】本発明の実施の形態によるカード媒体のさらに他の例についてその外観を示す斜視図である。
【発明を実施するための形態】
【００１４】
以下に、本発明の実施の形態によるカード型記録装置および当該カード型記録装置が挿抜されるスロット装置について図面を参照して説明する。
【００１５】
図１は、本発明の実施の形態によるカード型記録装置の一例についてその外観を示す斜視図である。そして、図１（ａ）はカード型記録装置を第１面側からみた斜視図であり、図１（ｂ）はカード型記録装置を第１面と対向する第２面側からみた斜視図である。
【００１６】
図示のように、カード型記録装置（以下カード媒体と呼ぶ）１は薄く扁平な形状を有している。このカード媒体１はデジタルカメラなどの電子機器に備えられたスロット装置（以下単にスロットと呼ぶ）挿入されて用いられるため、薄型の所謂カード形状に成形されている。
【００１７】
説明の便宜上、図１（ａ）に示すように、カード媒体１に対して座標系が設定される。ここでは、カード媒体１をスロットに挿入する方向を挿入方向とし、挿入方向の逆方向を抜去方向とする。
【００１８】
カード媒体１において、挿入方向の端面（端部）には、カードコネクタ５０３が配置されている。カードコネクタ５０３が配置された当該端面（つまり、配置部分）を端子面１０３と呼ぶ。一方、端子面１０３に対向する面を後端面１０４とする。また、カード媒体１において、挿入および抜去方向と直交（交差）する方向のうち、寸法が短い側面と平行な方向を厚み方向とし、寸法が長い側面と平行な方向を幅方向とする。厚み方向におけるカード媒体１の面をそれぞれ第１面１０１および第２面１０２とする。幅方向における両側面は、第１面１０１を上として挿入方向に向かって左側を左側面１０５とし、右側を右側面１０６とする。
【００１９】
図２は、図１に示すカード媒体が挿入されるスロット装置を備えた電子機器の１つであるデジタルカメラ（ビデオカメラ）の一例を示す斜視図である。そして、図２（ａ）はデジタルカメラを前側からみた斜視図であり、図２（ｂ）はデジタルカメラを後側からみた斜視図である。さらに、図３は、図２に示すデジタルカメラの構成についてその一例を示すブロック図である。
【００２０】
図２および図３に図示するように、デジタルカメラ（以下単にカメラと呼ぶ）２は、レンズユニット（以下単にレンズと呼ぶ）２０１を有している。カメラ２はレンズ２０１を介して入射した被写体像（光学像）を撮像して、撮像した被写体像に対応した電子データ（画像データ）をカード媒体１に記録する。
【００２１】
具体的に説明する。レンズ２０１を介して撮像素子３０１に被写体像が結像する。そして、制御部３０３は、レリーズスイッチ２０６の操作に応じて、撮像素子３０１を駆動制御して被写体像を映像信号に変換して画像処理部３０２に送る。画像処理部３０２は、制御部３０３の制御下で映像信号から所定フォーマットの画像データを生成して、当該画像データを記録制御部３０４に送る。
【００２２】
記録制御部３０４は、制御部３０３の制御下で、スロット３０５に挿入されたカード媒体１に画像データを記録する。また、画像処理部３０２から映像信号がモニタ画像生成部３０６に送られる。モニタ画像生成部３０６は映像信号を、ＬＣＤモニタ２０２に表示可能な画像信号に変換する。そして、モニタ画像生成部３０６はキャラクタジェネレータ３０７で生成されたキャラクタ情報を画像信号に重畳してＬＣＤモニタ２０２に映像として表示する。なお、映像信号に応じた画像は静止画像又は動画像である。
【００２３】
図示のカメラ２では、カード媒体１に記録された画像データをＬＣＤモニタ２０２に再生画像として表示することができる。制御部３０３の制御下で、記録制御部３０４はカード媒体１からユーザによって指定された画像データを読み出する。そして、モニタ画像生成部３０６は当該画像データをＬＣＤモニタ２０２に表示可能な画像信号に変換してＬＣＤモニタ２０２に映像として表示する。
【００２４】
カメラ２は、ユーザによる操作を受け付けるための操作部を備えている。例えば、操作部の１つとして電源スイッチ２０３がある。電源スイッチ２０３を押し下げると、カメラ２の電源をＯＮ又はＯＦＦとすることができる。さらに、図示のカメラ２においては、タッチパネル２０４がＬＣＤモニタ２０２に重ね合せて配置されている。タッチパネル２０４はＬＣＤモニタ２０２上のキャラクタ表示と組み合わされてＧＵＩ（グラフィックユーザインタフェース）を提供する。例えば、タッチパネル２０４上のタッチ操作によって、ユーザはカメラ２の設定の変更操作又は再生画像の選択などを行うことができる。
【００２５】
モード切替ダイアル２０５の操作によって、カメラ２の動作モードを撮影を行う撮影モードとカード媒体１に記録された画像データ再生する再生モードとのいずれかに切り替えることができる。
【００２６】
なお、上記の電源スイッチ２０３、タッチパネル２０４、モード切替ダイアル２０５、又はレリーズスイッチ２０６の操作に応じた操作信号は制御部３０３に入力される。そして、制御部３０３は操作信号およびカメラ２の各部の通信結果に基づいてカメラ２を制御する。図示はしないが、カメラ２にはバッテリが備えられ、当該バッテリからカメラ２に電力が供給される。
【００２７】
図４は、図１に示すカード媒体の構成についてその一例を示すブロック図である。また、図５は図１に示すカード媒体を分解して示す斜視図である。
【００２８】
さらに、図６は、図１に示すカード媒体の内部を説明するための図である。そして、図６（ａ）はカード媒体の第１面側からみた平面図であり、図６（ｂ）は第１面カード外装を取り外した状態で示す平面図である。また、図６（ｃ）はカード媒体の第２面側からみた平面図であり、図６（ｄ）は第２面カード外装を取り外した状態で示す平面図である。
【００２９】
図１および図４〜図６に図示するように、カード媒体１はカード基板５０２を備えており、このカード基板５０２には電源ＩＣ４０１、コントローラＩＣ４０２、およびフラッシュメモリＩＣ４０３が実装されている。なお、図５、図６において、電源ＩＣ４０１は不図示とする。また、少なくとも電源ＩＣ４０１、コントローラＩＣ４０２、およびフラッシュメモリＩＣ４０３の各々は電気素子である。
【００３０】
電源ＩＣ４０１は、カメラ２から供給される駆動電力を制御して、コントローラＩＣ４０２およびフラッシュメモリＩＣ４０３に適切な電圧で分配する。コントローラＩＣ４０２は、不揮発性メモリであるフラッシュメモリＩＣ４０３をアクセスして、電子データ（画像データ）の記録および読み出しを制御する。
【００３１】
複数のフラッシュメモリＩＣ４０３をカード基板５０２に実装するようにしてもよい。図６（ｂ）および図６（ｄ）に示すように、図示のカード媒体１においてはカード基板５０２の表面および裏面にそれぞれ２つ、合計４つのフラッシュメモリＩＣ４０３が実装されている。フラッシュメモリＩＣ４０３の数は、カード媒体１の記録容量に応じて変化する。
【００３２】
コントローラＩＣ４０２およびフラッシュメモリＩＣ４０３は、記録又は再生動作の際にカード媒体１で消費される電力の大半を消費する。この結果、コントローラＩＣ４０２およびフラッシュメモリＩＣ４０３の各々は発熱する。よって、当該熱の発生によって、カード媒体１の動作に障害が発生しないように、コントローラＩＣ４０２およびフラッシュメモリＩＣ４０３で発生する熱を放熱する必要がある。
【００３３】
カード基板５０２には、カードコネクタ５０３が半田付けによって取り付けられている。図５に示すように、カードコネクタ５０３は、絶縁性の樹脂で成形されたカードコネクタベース５０４に金属製のカード電気接点５０５がインサート成形されたものである。カード基板５０２には、カード電気接点５０５のリード部分５０５ａが半田付けされる。なお、ここでは、複数の接点を纏めてカード電気接点５０５と呼ぶ。
【００３４】
カード電気接点５０５には、電源ＩＣ４０１に接続されて電源ラインとして機能する電源用カード電気接点がある。また、カード電気接点５０５には、コントローラＩＣ４０２に接続されて通信信号ラインとして機能する通信用カード電気接点がある。なお、ここでは、カード電気接点５０５個々の役割は重要ではないので、電源用カード電気接点と通信用カード電気接点とを特に区別せずに説明する。
【００３５】
図５および図６に示すように、カード基板５０２は略コ字状のカード枠体５０６で囲われている。カード枠体５０６は絶縁性の樹脂で成形されており、カードコネクタベース５０４と係合して、厚み方向と直交するカード基板５０２の側面を取り囲む。カード枠体５０６とカードコネクタベース５０４とによって、後述するスロット３０５に嵌合するためのカード左側面ガイド部１０７およびカード右側面ガイド部１０８とが形成される（図１参照）。
【００３６】
カード左側面ガイド部１０７とカード右側面ガイド部１０８とは互いに非対称形状となっている。つまり、スロット３０５との嵌合の際に、カード左側面ガイド部１０７およびカード右側面ガイド部１０８によって方向性が定められる。
【００３７】
カードコネクタベース５０４およびカード枠体５０６によって樹脂枠が構成される。そして、当該樹脂枠にカード媒体１の厚み方向における両面を形成する外装カバー（以下単に外装と呼ぶ）が取り付けられる。ここでは、熱源であるコントローラＩＣ４０２およびフラッシュメモリＩＣ４０３が多く配置された側の面を第１面１０１とし、その外装を第１面カード外装５０１とする。また、コントローラＩＣ４０２が配されていない面を第２面１０２とし、その外装を第２面カード外装５０７とする。換言すると、本実施形態でカード媒体１は、厚み方向において熱源が多く配された側の面を第１面１０１とし、他方の面を第２面１０２とする。第２面カード外装５０７は、カード媒体１を薄型化するため、薄くかつ剛性の高い金属、例えば、ステンレス材によって成形されている。第１面カード外装５０１および第２面カード外装５０７は、係合爪を用いた引っ掛け構造又は接着などによって樹脂枠に固定される。
【００３８】
これら第１面カード外装５０１は、後述するように、カード媒体１の厚み方向の一面の少なくとも一部とカードコネクタ５０３が配された端面の少なくとも一部とを連絡する。
【００３９】
図７は、図１に示すカード媒体の第１面カード外装を説明するための斜視図である。そして、図７（ａ）は表側からみた斜視図であり、図７（ｂ）は裏側からみた斜視図である。
【００４０】
第１面カード外装５０１は剛性を有する熱伝導率（熱伝導性）の高い材料、例えば、アルミ合金又はマグネシウム合金で成形される。第１面カード外装５０１の主なる面であってカード媒体１の第１面１０１を規定する広い面を主面７０１と呼ぶ。すなわち、第１カード外装５０１のうち、同一面の面積が最も広い面を主面７０１と称す。主面７０１の略隅部には、それぞれ樹脂枠に係合する取り付け爪７０２ａ〜７０２ｄが形成されている。さらに、主面７０１から端子面１０３の方向に略９０度に折れ曲がって繋がる二面が設けられている。この二面は、後述するように、コントローラＩＣ４０２およびフラッシュメモリＩＣ４０３から発生する熱を伝導する面であり、以降の説明では、第１伝熱面（第１熱伝導部）７０３および第２伝熱面（第２熱伝導部）７０４と呼ぶ。
【００４１】
図１に示すように、伝熱面７０３はカードコネクタ５０３に対して左側面１０５側に主面７０１から繋がって形成されている。また、伝熱面７０４は同様に右側面１０６側に主面７０１から繋がって形成されている。これによって、カードコネクタベース５０４の端面(つまり、カード媒体の一面側)と略同一平面に第１伝熱面７０３、第２伝熱面７０４が位置し、端子面１０３を形成する。
【００４２】
さらに、図７（ｂ）に示すように、第１面カード外装５０１の内側には、主面７０１の直下に位置するコントローラＩＣ４０２およびフラッシュメモリＩＣ４０３に干渉しない範囲においてリブ７０５が形成されている。これによって、第１面カード外装５０１の剛性を高めるようにしている。また、第１面カード外装５０１の内側には、リブ７０５を伝熱面７０３および伝熱面７０４にそれぞれ連絡する厚肉部７０７および７０８が設けられている。
【００４３】
なお、第１面カード外装５０１および第二面カード外装５０７の各々をアルミ合金又はステンレス材などの導電性材料で成形する際には、カード基板５０２およびカード電気接点５０５と短絡しないようにかることが必要となる。
【００４４】
カード媒体１において、第１面カード外装５０１および第２面カード外装５０７は、前述の樹脂枠を挟み込んで固定されている。このため、樹脂枠の厚みによってカード基板５０２が収容される空間が確保される。さらに、カードコネクタベース５０４に形成された切欠き５０８および５０９（図５参照）に厚肉部７０７および７０８がそれぞれ嵌入される。これによって、カード電気接点５０５に対する第１面カード外装５０１の幅方向の位置が規制されて互いに接触することがない。
【００４５】
また、カードコネクタベース５０４に設けられた電気接点部リブ５１０によって、カード電気接点５０５と第１面カード外装５０１との厚み方向の離間距離を確保する。これによって、短絡を防止するとともに、スロット３０５のコネクタ部分が挿入されるコネクトスペース１０９を確保している。
【００４６】
図８は、図１に示すカード媒体の構造を説明するための図である。そして、図８（ａ）はカード媒体の第１面側からみた平面図であり、図８（ｂ）は図８（ａ）に示すＡ１−Ａ１線に沿った断面図である。また、図８（ｃ）は図８（ａ）に示すＢ１−Ｂ１線に沿った断面図である。なお、説明の便宜上、図８（ｂ）および図８（ｃ）において第１面カード外装５０１にはハッチングが付されている。
【００４７】
図８（ｂ）を参照すると、第１面カード外装５０１は、電気接点部リブ５１０とカード枠体５０６との段差部に当接して固定されている。一方、第２面カード外装５０７はカードコネクタベース５０４とカード枠体５０６とに当接して固定されている。これによって、カード基板５０２の収容空間が確保される。第２面カード外装５０１の内側面とコントローラＩＣ４０２およびフラッシュメモリＩＣ４０３の上面との間には、各部品の寸法公差および各ＩＣの実装浮きを考慮してクリアランス８０１および８０２が形成されている。そして、クリアランス８０１および８０２による空隙を埋めるように熱伝導グリス又は熱伝導ゴムが挿入される。熱伝導グリス又は熱伝導ゴムによって、コントローラＩＣ４０２およびフラッシュメモリＩＣ４０３で生じる熱を第１面カード外装５０１の主面７０１に伝導する。
【００４８】
図８（ｃ）を参照すると、主面７０１から端子面１０３に伝熱面７０３が連続的に形成されている。そして、伝熱面７０３に向けてリブ７０５、厚肉部７０７によって第１面カード外装５０１の断面が段階的に肉厚を増加する。図示しないが、伝熱面７０４の側も同様にして肉厚が変化する。これによって、前述のように、第１面カード外装５０１の剛性を高めるとともに、主面７０１から伝熱面７０３および７０４に向けてスムースに熱を移動させることができる。
【００４９】
図９は、図２に示すカメラにカード媒体を挿入する状態をカメラの下側からみた斜視図である。
【００５０】
カメラ２にはスロットが備えられており、カード媒体１を挿入するスロット口９０１は、スロット蓋２０７を開放すると現われる。スロット蓋２０７は、カメラ２に回動可能に軸支されており、ばね（図示せず）によって開放方向に付勢されている。閉状態においては、フック９０２が係合した状態でスロット蓋２０７はロックされており、操作ノブ２０８（図２参照）を操作すると、フック９０２の係合が解除されてスロット蓋２０７が開放される。スロット口９０１の奥には、後述するスロットが配置されている。
【００５１】
図１０は、図９に示すカメラに備えられたスロットを説明するための概念図である。そして、図１０（ａ）はスロットをカード媒体の挿入側から示す斜視図であり、図１０（ｂ）は図１０（ａ）と逆側から示す斜視図である。
【００５２】
スロット３０５は、スロットベース１００１、スロットカバー１００２、およびスロット基板１００３を有している。スロットベース１００１とスロットカバー１００２とは互いに係合した状態でスロット基板１００３に半田付けで実装される。
【００５３】
なお、図１０においては、説明の便宜上、スロットカバー１００２を取り外した状態が示されているが、スロットベース１００１とスロットカバー１００２とは一体的に組み合わされてスロット３０５を構成する。
【００５４】
スロットベース１００１は樹脂製であり、金属製のスロット電気接点１００４がインサート成形されている。スロット電気接点１００４は複数の電気接点を一纏めとしたものである。スロットベース１００１には、カード媒体１のカード左側面ガイド部１０７およびカード右側面ガイド部１０８のそれぞれに対応するガイド嵌合部が形成されている。
【００５５】
スロットベースベース１００１にはスロット左側面ガイド部１００５およびスロット右側面ガイド部１００６が形成されている。スロット左側面ガイド部１００５はカード左側面ガイド部１０７に嵌合する形状を有している。同様に、スロット右側面ガイド部１００６はカード右側面ガイド部１０８に嵌合する形状を有している。
【００５６】
前述のように、カード左側面ガイド部１０７とカード右側面ガイド部１０８とは互いに非対称形状であるので、カード媒体１はスロットベース１００１に対して上下左右が合致した方向でのみ挿入することができる。このように、各ガイド部が嵌合することによって、カード媒体１はスロット３０５に機械的に接続される。
【００５７】
スロットベース１００１からスロットコネクタ部１００７が延在して形成されている。スロット電気接点１００４は弾性を有しており、スロットコネクタ部１００７の一面からスロット電気接点１００４が変位可能に突出する。カード媒体を挿入した状態では、スロットコネクタ部１００７はコネクトスペース１０９に進入する。そして、スロット電気接点１００４がカード電気接点５０５に弾性的に接触して電気的な接続が行われる。
【００５８】
スロットコネクタ部１００７とスロット左側面ガイド部１００５又はスロット右側面ガイド部１００６との間には、カード媒体１が挿入された際に伝熱面７０３および７０４と当接する面が形成されている。これらの面には、カード媒体１の伝熱面７０３および７０４から熱が伝導されるので、ここでは、受熱部１００８および１００９と呼ぶ。
【００５９】
例えば、受熱部１００８および１００９は、弾性を有する熱伝導ゴムで成形されており、カード媒体１と当接する面の逆側の面において金属製のスロット伝熱板１０１０に接着されている。スロット伝熱板１０１０は熱伝導率の高い金属、例えば、銅合金で成形されている。そして、スロット伝熱板１０１０はビス１０１１および１０１２によってスロットベース１００１およびスロット基板１００３とともにカメラ２の構造フレームなどに固定されている。さらに、スロット伝熱板１０１０から延在する腕部１０１３および１０１４はスロット基板１００３のランドに半田付けされて、スロット基板１００３のグランド層など残銅率の高いパターンに接続されている。
【００６０】
スロットカバー１００２は、ステンレス製の薄板で成形されており、カード媒体１の挿入の際、スロットベース１００１に向けてカード媒体１をガイドする。さらに、スロットカバー１００２には、カード媒体取り外す（抜去する）際のイジェクト（排出）機構を取り付けられている。
【００６１】
図１１は、図１０に示すスロットカバーに取り付けられたイジェクト機構の動作を説明するための図である。そして、図１１（ａ）はカード媒体をイジェクトした状態でスロットカバーを省略して示す斜視図であり、図１１（ｂ）はカード媒体をイジェクトした状態の平面図である。また、図１１（ｃ）はカード型媒体をイジェクトした状態でスロットカバーを省略して示す平面図である。さらに、図１１（ｄ）はカード媒体を挿入した状態でスロットカバーを省略して示す斜視図であり、図１１（ｅ）はカード媒体を挿入した状態の平面図である。図１１（ｆ）はカード型媒体を挿入した状態でスロットカバーを省略して示す平面図である。
【００６２】
スロットカバー１００２には、回転アーム１０１７が軸１０１８に回りに回動可能に取り付けられている。回転アーム１０１７はその一端がイジェクトアーム１０１６に搖動自在に連結され、他端がイジェクト板１１０１に揺動自在に連結されている。イジェクト板１１０１には、カード媒体１の端子面１０３に当接する爪部が設けられている。
【００６３】
イジェクトアーム１０１６およびイジェクト板１１０１は、スロットカバー１００２によって形成されるガイド形状（図示せず）によって、カード媒体１の挿入および抜去方向と平行にのみ移動可能に規制されている。イジェクトアーム１０１６の先端にはイジェクトボタン１０１５が取り付けられている。イジェクトボタン１０１５はスロット蓋２０７を開放した際にスロット口９０１の脇に露出する（図９を参照）。これによって、ユーザは、イジェクトボタン１０１５を操作してカード媒体１を排出することができる。
【００６４】
カード媒体１をスロット３０５に挿入していくと、所定の位置から前述のガイド部の勘合が開始される。そして、図１１（ｃ）に示すように、カード媒体１の端子面１０３がイジェクト板１１０１（二重線のハッチングで示す）に当接する。さらに、カード媒体１を挿入方向に進めると、端子面１０３に当接するイジェクト板１１０１が挿入方向に押圧されて移動して、図１１（ｆ）に示すようにカード媒体１が所定面に突き当たる位置まで移動する。
【００６５】
イジェクト板１１０１の移動に伴って、揺動自在に連結された回転アーム１０１７が図１１（ｂ）に示す状態から図１１（ｅ）に示す状態に、軸１０１８を中心に時計回りに回動する。回転アーム１０１７の回動に伴って、揺動自在に連結されたイジェクトアーム１０１６がカード媒体１の抜去方向に平行に移動する。最終的に、図１１（ｅ）に示すように、イジェクトボタン１０１５がカード媒体１の後端面１０４から所定量だけ突出した位置まで移動して、スロット蓋２０７を開けた際に操作可能となる。
【００６６】
前述の挿入動作によって、イジェクトボタン１０１５は突出した状態となる。当該イジェクトボタン１０１５をカード媒体１の挿入方向に向けて押すと、イジェクトアーム１０１６が移動して、回転アーム１０１７が軸１０１８の回りに回動する。回転アーム１０１７は、図１１（ｅ）から図１１（ｂ）に示す状態に、反時計回りに回動する。回転アーム１０１７の回動に伴って、図１１（ｆ）から図１１（ｃ）に示す状態にイジェクト板１１０１がカード媒体１の抜去方向に移動する。
【００６７】
これによって、イジェクト板１１０１に当接するカード媒体１が抜去方向に移動する。そして、カード媒体１はスロット口９０１から所定量だけ突出するので、ユーザはカード媒体１を撮んで取り出すことができる。
【００６８】
図１２は、図１１（ｄ）に示す受熱部の近傍を拡大して示す図である。そして、図１２（ａ）は一方の受熱部（第１受熱部）１００８側を示す図であり、図１２（ｂ）は他方の受熱部（第２受熱部）１００９側を示す図である。
【００６９】
前述のように、イジェクト板１１０１には爪１２０１および１２０２が形成されている。そして、爪１２０１および１２０２はそれぞれ受熱部１００８および１００９の幅方向の外側に位置し、広いスパンでカード媒体１に当接する。これによって、挿入／抜去動作の際にイジェクト板１１０１およびカード媒体１の傾きを低減して安定的に挿入および抜去を行うことができる。
【００７０】
ここで、カード媒体１をスロット３０５に挿入した際の伝熱経路について説明する。
【００７１】
図１３は、図１に示すカード媒体の挿入過程および挿入状態を説明するための図である。そして、図１３（ａ）はカード媒体の挿入を示す平面図であり、図１３（ｂ）および図１３（ｃ）は図１３（ａ）に示すＢ２−Ｂ２線に沿った断面図である。また、図１３（ｄ）は図１３（ａ）に示すＡ２−Ａ２線に沿った断面図である。
【００７２】
図１３（ｂ）には、カード媒体１の挿入過程が示されており、ここでは、伝熱面７０３と受熱部１００８（クロスハッチングによって断面を示す）とはまだ当接していない。前述のように、受熱部１００８は弾性を有する熱伝導ゴムで成形されており、端子面１０３に対向するスロットベース１００１の突き当たり面１３０１から所定量だけ突出する寸法に成形されている。
【００７３】
図１３（ｃ）には、カード媒体１をスロットベース１００１の突き当たり面１３０１に略当接する位置まで挿入した状態が示されている。この状態においては、伝熱面７０３を含む端子面１０３が突き当たり面１３０１に略当接する位置まで挿入されている。この際、受熱部１００８は伝熱面７０３に押されて、スロット伝熱板１０１０との間で圧縮される。そして、圧縮された受熱部１００８を介して、伝熱面７０３とスロット伝熱板１０１０とで熱の伝導が行われる。
【００７４】
受熱部１００８を圧縮することによって、伝熱面７０３との間の空隙がなくなって熱抵抗が低下する。図示はしないが、伝熱面７０４側についても同様に、受熱部１００９を介してスロット伝熱板１０１０に熱が伝導する。なお、受熱部１００８および１００９は弾性を有しているので、圧縮すると、矢印１３０２で示す受熱部反力が生じる。この受熱部反力により、カード媒体１の挿抜方向における位置規制が行われるため、スロット３０５に挿入された状態におけるカード媒体１の挿抜方向のガタを低減できる。具体的に、本実施形態では、受熱部反力１３０２はカード媒体１の抜去方向に作用するので、カード媒体５は、挿入方向の位置が各受熱部によって規制、抜去方向の位置がスロット蓋２０７（規制部）によって規制される。
【００７５】
図１４は、図１に示すカード媒体の挿入状態におけるカード媒体とスロット蓋との関係を示す断面図である。
【００７６】
図示のように、スロット蓋２０７の内面側には凸部１４０１が設けられており、カード媒体１が挿入状態となると当該凸部１４０１が後端面１０４に当接する。これによって、カード媒体１の抜去方向の移動が防止される。スロット蓋２０７はフック９０２によって閉状態にロックされるので、スロット蓋２０７を閉じている限り、カード媒体１は抜去方向に移動することができない。つまり、カード媒体１は、伝熱面７０３を含む端子面１０３が突き当たり面１３０１に略当接する挿入位置を維持することができる。
【００７７】
上述のように、コントローラＩＣ４０２およびフラッシュメモリＩＣ４０３の駆動によって発生する熱は、熱伝導グリスなどを介して第１面カード外装５０１の主面７０１に伝導する。その後、熱は伝熱面７０３および７０４から受熱部１００８および１００９を介してスロット伝熱板１０１０に伝導する。スロット伝熱板１０１０に伝導した熱は、スロット基板１００３の残銅率の高い（つまり、熱拡散性の高い）グランド層パターンに伝導して拡散および放熱される。なお、スロット伝熱板１０１０の代わりに、放熱器、例えば、多数の冷却フィンを備えるヒートシンクなどを用いるようにしてもよい。
【００７８】
また、前述のように、端子面１０３の中央部にカード電気接点５０５を配置して、伝熱面７０３および７０４をカード電気接点５０５より外側に配置する。これによって、カード媒体１が受熱部１００８および１００９から受ける受熱部反力の作用点が端子面１０３の両端寄りに分散する。従って、カード媒体１には受熱部反力による回転モーメントが発生しにくくなって、カード電気接点５０５の接触状態を安定に保つことができる。さらには、カード媒体１の傾きを低減して挿抜操作をスムースに行うことができる。
【００７９】
ここで、図１３（ｄ）を参照して、ここでは、カード媒体１の挿入状態におけるカード電気接点５０５とスロット電気接点１００４との接触状態が示されている。前述のように、スロット電気接点１００４の接点部１００４ａは弾性を有し変位可能であって、その変位方向はカード媒体１の厚み方向に略平行となる。つまり、図１３（ｄ）において、接点部１００４ａはカード電気接点５０５に当接して上方向に変位して、その変位位置で下方向に向けて接点反力（接触反力）１３０３が生じて接触状態を保つ。
【００８０】
嵌合のがたつきなどを考慮して、接点部１００４ａに所定の変位ストロークを与えて接点反力１３０３を生じさせると、電気接点としての信頼性を高めることができる。ここでは、接点部１００４ａの接点反力１３０３の方向と受熱部反力（付勢力）１３０２とは略直交する。
【００８１】
前述のように、カード媒体１は挿入状態において位置固定されるものの、寸法バラつきを考慮すると多少のガタが生じる。つまり、位置決め誤差が生じる。カード媒体１のガタは受熱部反力１３０２によって抜去方向に片寄せされる。一方、接点反力１３０３は受熱部反力１３０２と直交するので、カード媒体１にガタが生じても変位ストロークが減少するような影響を受けることがない。よって、接点反力１３０３は変化しない。従って、カード媒体１の挿入位置にガタがあっとしても、接点間の接触圧を安定に保つことができる。
【００８２】
図１５は、前述した実施の形態によるカード媒体１とは異なる、他の実施の形態に係るカード型記録装置（カード媒体）１５についてその外観を示す斜視図である。そして、図１５（ａ）はカード媒体１５を第２面側からみた斜視図であり、図１５（ｂ）はカード媒体１５を第２面と対向する第１面側からみた斜視図である。
【００８３】
また、図１６は、図１５に示す他の実施の形態に係るカード媒体１５の挿入状態を説明するための図である。そして、図１６（ａ）はカード媒体の挿入を示す平面図であり、図１６（ｂ）は図１６（ａ）に示すＢ３−Ｂ３線に沿った断面図である。また、図１６（ｄ）は図１６（ａ）に示すＡ３−Ａ３線に沿った断面図である。なお、図１５および図１６において、図１および図１３に示す構成要素と同一の構成要素については同一の参照番号を付す。
【００８４】
図１６（ｃ）に示すように、カード媒体１５に備えられたコントローラＩＣ４０２は、挿入状態においてカード基板１５０２のスロット基板１００３側の面に実装されている。カード媒体１に備えられたカード基板５０２と比べると、コントローラＩＣ４０２は逆の面に実装されている（図１３（ｄ）参照）。つまり、挿入位置について見ると、熱源がより多く配置される第１面はスロット基板１００３に対向する側の面１５０１となり、カード媒体１の第１面１０１とは逆の面となる。また、第２面は挿入状態においてスロットカバー１００２に対向する面１５０７である。
【００８５】
このように、熱源が集中する第１面がカード媒体１と異なっても、本発明を適用することができる。
【００８６】
図１５（ｂ）および図１６（ｂ）に示すように、第１面１５０１を規定する第１面カード外装１５０３から端子面１５０４に亘って伝熱面１５０５および１５０６を形成する。これによって、伝熱面１５０５および１５０６はそれぞれ受熱部１００８および１００９に当接して熱の伝導が行われる。
【００８７】
図１７は、さらに、前述した実施の形態によるカード媒体１とは異なる、他の実施の形態に係るカード型記録装置（カード媒体）１７についてその外観を示す斜視図である。そして、図１７（ａ）はカード媒体を第２面側からみた斜視図であり、図１７（ｂ）はカード媒体を第２面と対向する第１面側からみた斜視図である。
【００８８】
図示のカード媒体１７は、カード型記録装置１５と比べてカードコネクタの構造が異なっている。カードコネクタ１７０１は、第１面１７０２において辺に沿ってカード電気接点１７０７が露出している。一般的に、スロットの電気接点はスロットの深部に配置されるので、カード媒体１７においてもカード電気接点１７０７が沿う側の端面が挿入方向の端面となる。つまり、端子面１７０５と見做すことができる。
【００８９】
カード媒体１およびカード媒体１５と同様に、第１面１７０２を規定する第１面カード外装１７０６から端子面１７０５に向かって伝熱面１７０３および１７０４が形成される。これによって、伝熱面１７０３および１７０４に対応する受熱部に熱を伝導することができる。
【００９０】
このように、本発明の実施の形態では、カード媒体の電気接点側の端面において、面接触するスロットの当接面（当接部）に熱を伝導するようにしたので、放熱経路が冗長となることなく、効率的に放熱を行うことができる。
【００９１】
以上、本発明について実施の形態に基づいて説明したが、本発明は、これらの実施の形態に限定されるものではなく、この発明の要旨を逸脱しない範囲の様々な形態も本発明に含まれる。
【符号の説明】
【００９２】
１、１５、１７  カード型記録装置（カード媒体）
２０７  スロット蓋
３０５  スロット装置（スロット）
４０２  コントローラＩＣ
４０３  フラッシュメモリＩＣ
５０１、１５０３、１７０６  第１面カード外装
７０３、７０４、１５０５、１５０６、１７０３、１７０４  伝熱面
１００８、１００９  受熱部
【図１】
2017191488.tif 000003
【図２】
2017191488.tif 000004
【図３】
2017191488.tif 000005
【図４】
2017191488.tif 000006
【図５】
2017191488.tif 000007
【図６】
2017191488.tif 000008
【図７】
2017191488.tif 000009
【図８】
2017191488.tif 000010
【図９】
2017191488.tif 000011
【図１０】
2017191488.tif 000012
【図１１】
2017191488.tif 000013
【図１２】
2017191488.tif 000014
【図１３】
2017191488.tif 000015
【図１４】
2017191488.tif 000016
【図１５】
2017191488.tif 000017
【図１６】
2017191488.tif 000018
【図１７】
2017191488.tif 000019